(57)【要約】【課題】  タンク内に貯留した液体をポンプを介して送る種々の送液系において、流量計を使用せずに供給流量を高精度に設定可能とし、配管を簡素化してコスト低減と故障によるトラブルの防止を図り、衛生面での問題も解消し得る送液システムを提供する。【解決手段】  タンクＴ１，Ｔ２内に貯留した液体Ｌ１，Ｌ２をポンプＰ１，Ｐ２を介して送る送液系において、液面センサーＳ１，Ｓ２によってポンプ稼働に伴うタンクＴ１，Ｔ２内の液面低下量を計測し、その単位時間当たりの液面低下量からコントローラーＣによってポンプＰ１，Ｐ２の回転数に対する液体吐出量を演算し、簡易体積流量として表示すると共に、演算値に基づいてポンプＰ１，Ｐ２をコントローラーＣで設定送液量に対応した稼働速度に制御する。【選択図】                図１
2006285726.tif 000002
【特許請求の範囲】
【請求項１】
タンク内に貯留した液体をポンプを介して送る送液系において、液面センサーによってポンプ稼働に伴う該タンク内の液面低下量を計測し、その単位時間当たりの液面低下量からコントローラーによってポンプの回転数又は往復度数に対する液体吐出量を演算し、簡易体積流量として表示すると共に、この演算値に基づいて該ポンプをコントローラーで設定送液量に対応した稼働速度に制御することを特徴とする送液システム。
【請求項２】
タンク内に貯留した液体をポンプを介して送る送液系において、重量計によってポンプ稼働に伴うタンク重量の減少を計測し、その単位時間当たりの重量減少からコントローラーによってポンプの回転数又は往復度数に対する液体吐出重量を演算し、簡易質量流量として表示すると共に、この演算値に基づいて該ポンプをコントローラーで設定送液量に対応した稼働速度に制御することを特徴とする送液システム。
【請求項３】
タンク内に貯留した液体をポンプを介して送る送液系において、圧力計によってポンプ稼働に伴うタンク内の液圧の減少を計測し、その単位時間当たりの液圧減少からコントローラーによってポンプの回転数又は往復度数に対する液体吐出重量を演算し、簡易質量流量として表示すると共に、この演算値に基づいて該ポンプをコントローラーで設定送液量に対応した稼働速度に制御することを特徴とする送液システム。
【請求項４】
前記ポンプがロータリーポンプである請求項１〜３のいずれかに記載の送液システム。
【請求項５】
前記ポンプの下流側の送液流路に逆止弁を介装すると共に、前記タンク内の液体の水頭圧を該逆止弁の背圧以下に設定する請求項１〜４のいずれかに記載の送液システム。
【請求項６】
タンク内に貯留した液体をポンプを介して送る複数の前記送液系を有し、これら送液系から送られる異種の液体を混合器で混合して送出する請求項１〜５のいずれかに記載の送液システム。
【発明の詳細な説明】
【技術分野】
【０００１】
本発明は、タンク内に貯留した液体をポンプを介して送る種々の送液系において、送液量を設定・表示するための送液システムに関する。
【背景技術】
【０００２】
例えば、各々タンクに貯留された異種の液体をそれぞれポンプを介して供給して合流させ、所定割合の混合液として送出する場合、その混合比を正確に設定する上で、ポンプの稼働速度を制御して各々の液体の供給流量を精密に制御する必要がある。しかるに、定量送液に汎用されるロータリーポンプの如き定量ポンプにおいても、稼働中のリークがあることから、実際の送液量はポンプに規定される公称送液量に対して５〜１０％程度の変動を生じる上、その変動傾向にも液体の比重や粘度等の性状による差異があるため、供給流量を精密に設定することは極めて困難である。
【０００３】
そこで、従来より一般的に、下流側の送液流路に体積流量計を介在させ、この体積流量計による計測値からフィードバックする形で、コントローラーによってポンプの稼働速度を制御する方法が採用されている。また、質量基準で流量を設定する場合は、質量流量計を用いて同様にポンプの稼働速度を制御するようにしている。
【発明の開示】
【発明が解決しようとする課題】
【０００４】
しかしながら、上述のように体積流量計や質量流量計を介在させる場合、流量計自体が高価である上に配管も複雑化するため、設備コスト及び保全コストが高く付くと共に、流量計の故障によるトラブルが発生することも往々にしてあり、また流量計の内部には送液流路に連通する管路が存在するが、送液系の洗浄を行う際に該管路まで洗浄液が充分に行き渡りにくく、洗い残しによる雑菌繁殖等も懸念され、特に厳密なサニタリー仕様が要求される飲食品分野や医薬品分野の送液系では大きな問題となる。
【０００５】
本発明は、上述の情況に鑑み、タンク内に貯留した液体をポンプを介して送る種々の送液系において、流量計を使用することなく供給流量を高精度に設定可能とし、もって配管を簡素化してコスト低減と故障によるトラブルの防止を図り、且つ衛生面での問題も解消し得る送液システムを提供することを目的としている。
【課題を解決するための手段】
【０００６】
上記目的を達成するために、本発明の請求項１に係る送液システムは、図面の参照符号を付して示せば、タンクＴ１，Ｔ２内に貯留した液体Ｌ１，Ｌ２をポンプＰ１，Ｐ２を介して送る送液系において、液面センサーＳ１，Ｓ２によってポンプ稼働に伴う該タンクＴ１，Ｔ２内の液面低下量を計測し、その単位時間当たりの液面低下量からコントローラーＣによってポンプＰ１，Ｐ２の回転数又は往復度数に対する液体吐出量を演算し、簡易体積流量として表示すると共に、この演算値に基づいて該ポンプＰ１，Ｐ２をコントローラーＣで設定送液量に対応した稼働速度に制御することを特徴としている。
【０００７】
また、請求項２に係る送液システムは、タンクＴ１，Ｔ２内に貯留した液体Ｌ１，Ｌ２をポンプＰ１，Ｐ２を介して送る送液系において、重量計Ｗ１，Ｗ２によって該ポンプ稼働に伴うタンク重量の減少を計測し、その単位時間当たりの重量減少からコントローラーＣによってポンプＰ１，Ｐ２の回転数又は往復度数に対する液体吐出重量を演算し、簡易質量流量として表示すると共に、この演算値に基づいて該ポンプＰ１，Ｐ２をコントローラーＣで設定送液量に対応した稼働速度に制御することを特徴としている。
【０００８】
更に、請求項３に係る送液システムは、タンクＴ１，Ｔ２内に貯留した液体Ｌ１，Ｌ２をポンプＰ１，Ｐ２を介して送る送液系において、圧力計ＰＳ１，ＰＳ２によってポンプ稼働に伴うタンクＴ１，Ｔ２内の液圧の減少を計測し、その単位時間当たりの液圧減少からコントローラーＣによってポンプＰ１，Ｐ２の回転数又は往復度数に対する液体吐出重量を演算し、簡易質量流量として表示すると共に、この演算値に基づいて該ポンプＰ１，Ｐ２をコントローラーＣで設定送液量に対応した稼働速度に制御することを特徴としている。
【０００９】
請求項４の発明は、上記請求項１〜３のいずれかの送液システムにおいて、ポンプＰ１，Ｐ２がロータリーポンプである構成を採用している。
【００１０】
請求項５の発明は、上記請求項１〜４の送液システムにおいて、ポンプＰ１，Ｐ２の下流側の送液流路に逆止弁ＣＶ１，ＣＶ２を介装すると共に、前記タンクＴ１，Ｔ２内の液体Ｌ１，Ｌ２の水頭圧を該逆止弁ＣＶ１，ＣＶ２の背圧以下に設定する構成としている。
【００１１】
請求項６の発明は、上記請求項１〜５の送液システムにおいて、タンクＴ１，Ｔ２内に貯留した液体Ｌ１，Ｌ２をポンプＰ１，Ｐ２を介して送る複数の前記送液系を有し、これら送液系から送られる異種の液体Ｌ１，Ｌ２を混合器Ｍで混合して送出する構成としている。
【発明の効果】
【００１２】
本発明に係る送液システムによれば、タンク内に貯留した液体をポンプを介して送る際、流量計を使用せずに、請求項１の発明ではポンプ稼働に伴う該タンク内の単位時間当たりの液面低下量から、また請求項２の発明ではポンプ稼働に伴う該タンク内の単位時間当たりの液重量の減少から、更に請求項３の発明ではポンプ稼働に伴う該タンク内の単位時間当たりの液圧の減少から、それぞれポンプの回転数又は往復度数に対する液体吐出量を演算することから、簡易体積流量又は簡易質量流量として流量計使用時と同等の精度で実際の流量に極めて近い流量を表示できると共に、該演算値に基づいてポンプの稼働速度を制御するから、送液量の設定に高い信頼性が得られる。また、これら送液システムでは、流量計の省略によって配管が簡素化され、それだけ設備コストが低減されると共に、故障も発生しにくく、且つ洗浄時に配管の隅々まで洗浄液を行き渡らせることが可能となり、洗い残しによる衛生面での問題を生じない。
【００１３】
しかして、これら請求項１〜３の発明に係る送液システムは、請求項４の発明のように前記ポンプがロータリーポンプである場合に特に適用効果が大きい。また、ポンプ下流側の送液流路に逆止弁が介在する構成において、請求項５の発明のように、タンク内の液体の水頭圧を該逆止弁の背圧以下に設定すれば、逆止弁本来の一方向通液機能を確実に発揮させることができる。更に、この送液システムを請求項６の如く複数の送液系から送られる異種の液体を混合器で混合して送出する構成に適用すれば、混合液の成分比率を容易に且つ厳密に設定できるという利点がある。
【発明を実施するための最良の形態】
【００１４】
以下、本発明に係る送液システムを２液混合送出系に適用した実施形態について、図面を参照して具体的に説明する。図１は第一実施形態の送液システムのブロック図、図２は同送液システムを採用した２液混合送出装置の正面図、図３は同２液混合送出装置の側面図、図４は第二実施形態の送液システムのブロック図、図５は第三実施形態の送液システムのブロック図である。なお、第二及び第三実施形態の送液システムにおいては、第一実施形態の送液システムと共通する部分には同一符号を付してその説明を省略する。
【００１５】
図１に示す第一実施形態の送液システムでは、タンクＴ１，Ｔ２の各々に貯留された２種の液体Ｌ１，Ｌ２を、それぞれロータリーポンプＰ１，Ｐ２を介して導出管路１１ａ，１１ｂより導出して合流させ、送出管路１２に介在するラインミキサーからなる混合機Ｍを通して混合し、所定の体積比率の混合液として送出する。しかして、タンクＴ１，Ｔ２内には液面センサーＳ１，Ｓ２がそれぞれ配設されており、液面が例えば図示仮想線で示す設定レベルＭＬより高い間は供給管路１０ａ，１０ｂに介在する開閉弁Ｖ１，Ｖ２は閉止しているが、両液体Ｌ１，Ｌ２の一方の液面が該設定レベルＭＬに達すると、液面センサーＳ１又はＳ２の検出信号に基づくコントローラＣからの指令で対応する送液系の開閉弁Ｖ１又はＶ２が開放し、供給管路１０ａ又は１０ｂより液体Ｌ１又はＬ２がタンク下部からタンクＴ１又はＴ２内へ、ポンプＰ１又はＰ２による送液量を大きく上回る供給速度で供給される。そして、液面が同じく図示仮想線で示す規定高レベルＨＬに達すれば、液面センサーＳ１又はＳ２の検出信号に基づくコントローラＣからの指令で開閉弁Ｖ１又はＶ２が閉止し、液体Ｌ１又はＬ２の供給が停止する。
【００１６】
ここで、タンクＴ１，Ｔ２内の液面の規定高レベルＨＬ（上限）から規定低レベルＬＬ（下限）までの間は液面面積が一定であり、設定レベルＭｌは高低レベルＨＬ，ＬＬ間の任意高さ（通常は中間位の高さ）に設定される。しかして、コントローラＣは、液体Ｌ１，Ｌ２のいずれについても、その液面が規定高レベルＨＬに達して供給停止後、ポンプＰ１，Ｐ2 の稼働に伴って低下してゆく液面の単位時間当たりの低下量から求められる導出流量（体積）と、その間のポンプ回転数とから、当該ポンプＰ１，Ｐ2 の回転数に対する液体吐出量を演算し、これを表示部Ｄに簡易体積流量として表示させると共に、この演算された液体吐出量が設定吐出量に近づくように常時フィードバックして両ポンプＰ１，Ｐ2 の駆動速度を制御するようになされている。
【００１７】
図中、Ｖ３，Ｖ４は、供給管路１０ａ，１０ｂから分岐してタンクＴ１，Ｔ２の上部に連通接続した洗浄用管路１３ａ，１３ｂに介在する開閉弁であり、洗浄時以外は閉止している。また、ＣＶ１，ＣＶ２は、導出管路１１ａ，１１ｂの合流部と両ポンプＰ１，Ｐ２との間に介在している逆止弁であり、両ポンプＰ１，Ｐ２の吐出方向の液流のみを許容する。なお、逆止弁ＣＶ１，ＣＶ２には送液停止時に確実に閉弁するようにコイルスプリング等による背圧が加えられるが、送液停止時の逆流を防止する上で、タンクＴ１，Ｔ２内の液体Ｌ１，Ｌ２の規定高レベルＨＬは、水頭圧が逆止弁ＣＶ１，ＣＶ２の該背圧以下になるように設定する必要がある。
【００１８】
図２及び図３に示す２液混合送出装置は、前記第一実施形態の送液システムを適用したものであり、上下二段になった架台１の上段部１ａにタンクＴ１，Ｔ２が設置されると共に、同下段部１ｂにロータリーポンプＰ１，Ｐ２とそれらの駆動モーター２ａ，２ｂが設置されている。そして、タンクＴ１，Ｔ２の底部前端から導出管路１１ａ，１１ｂが垂下しており、両導出管路１１ａ，１１ｂの各下降部分に前記ロータリーポンプＰ１，Ｐ２と逆止弁ＣＶ１，ＣＶ２が順次介挿されると共に、両導出管路１１ａ，１１ｂの合流部より垂直に立ち上がる送出管路１２に２連の混合機Ｍ，Ｍが介挿されている。なお、各混合機Ｍは、筒内に向きの異なる多数の固定羽根が配置し、通過液を激しく擾乱させて混合作用を発揮するものである。
【００１９】
タンクＴ１，Ｔ２は、図３に示すように、前後方向に長い略横長矩形に形成されており、その後方下部に供給管路１０ａ，１０ｂが開閉弁Ｖ１，Ｖ２を介して連通接続されると共に、これら供給管路１０ａ，１０ｂから分岐した洗浄用管路１３ａ，１３ｂが各々開閉弁Ｖ３，Ｖ４を介して前部寄り上部に連通接続している。また、当該タンクＴ１，Ｔ２の上部には、フィルター付き通気孔Ｆ１，Ｆ２が設けられると共に、内部へ垂下する液面センサーＳ１，Ｓ２が取付けられている。３ａ，３ｂは逆止弁ＣＶ１，ＣＶ２の各々の強制開放用シリンダー、４ａ，４ｂは導出管路１１ａ，１１ｂに各々設けたドレン、５ａは供給管路１０ａ，１０ｂの液入口、６は混合液出口である。なお、ロータリーポンプＰ１，Ｐ２及び開閉弁Ｖ１〜Ｖ４の動作は、図示省略したコントローラー（図１の符号Ｃ参照）によって第一実施形態の送液システムで説明したように制御されている。
【００２０】
この第一実施形態の送液システムを適用した２液混合送出装置では、タンクＴ１，Ｔ２に貯留した２種の液体Ｌ１，Ｌ２を所定の体積比率の混合液として送出する際、ロータリーポンプＰ１，Ｐ２の稼働に伴うタンクＴ１，Ｔ２内の単位時間当たりの液面低下量からポンプＰ１，Ｐ２の回転数に対する液体吐出量を演算し、簡易体積流量として実際の流量に極めて近い流量を表示できると共に、該演算値に基づいてポンプＰ１，Ｐ２の稼働速度を制御するから、液体Ｌ１，Ｌ２の各々の送液量の設定に高い信頼性が得られ、もって両液体Ｌ１，Ｌ２の混合比率が厳密に維持されて性状及び品質的に安定した混合液を供給できる。しかも、この２液混合送出装置は、流量計が不要であるから、配管が簡素化され、それだけ設備コストが低減されると共に、故障も発生しにくいものとなる。
【００２１】
一方、送液ラインの洗浄においては、ドレン４ａ，４ｂを開放してライン内に残る液体Ｌ１，Ｌ２を抜いた上で、開閉弁Ｖ３，Ｖ４を開放し、供給管路１０ａ，１０ｂより洗浄液を導入する。これによって、洗浄液が供給管路１０ａ，１０ｂと洗浄用管路１３ａ，１３ｂとに分流するから、タンクＴ１，Ｔ２内が上下両側から流入する洗浄液で効果的に清浄化される共に、ポンプＰ１，Ｐ２の駆動によって両タンクＴ１，Ｔ２内の洗浄液が導出管路１１ａ，１１ｂ及び送出管路１２を通して送出され、もってポンプＰ１，Ｐ２及び混合機Ｍの内部を含む導出側ラインも清浄化される。しかして、この洗浄の際、従来の送液システムにおけるような流量計内部の管路が存在しないから、配管の隅々まで洗浄液を行き渡り、洗い残しによる衛生面での問題を生じない。
【００２２】
図４に示す第二実施形態の送液システムは、前記第一実施形態と同様に、タンクＴ１，Ｔ２の各々に貯留された２種の液体Ｌ１，Ｌ２を、それぞれロータリーポンプＰ１，Ｐ２を介して導出管路１１ａ，１１ｂより導出して合流させ、送出管路１２に介在するラインミキサーからなる混合機Ｍを通して混合し、所定比率の混合液として送出するものである。しかるに、混合液の混合比を質量（重量）基準で設定するため、第一実施形態における液面センサーＳ１，Ｓ２を使用しない代わりに、両タンクＴ１，Ｔ２がロードセルの如き重量計Ｗ１，Ｗ２に各々搭載されている。
【００２３】
すなわち、この送液システムでは、重量計Ｗ１，Ｗ２にて計測されるタンクＴ１，Ｔ２内の液体Ｌ１，Ｌ２の重量が設定重量ＭＷより大きい間は供給管路１０ａ，１０ｂに介在する開閉弁Ｖ１，Ｖ２は閉止しているが、送液によって低下してゆく両液体Ｌ１，Ｌ２の重量の一方が該設定重量ＭＷに達すると、重量計Ｗ１又はＷ２からの検出信号に基づくコントローラＣからの指令で対応する送液系の開閉弁Ｖ１又はＶ２が開放し、供給管路１０ａ又は１０ｂより液体Ｌ１又はＬ２がタンク下部からタンクＴ１又はＴ２内へ、ポンプＰ１又はＰ２による送液量を大きく上回る供給速度で供給される。そして、供給される液体Ｌ１又はＬ２の重量が規定最大重量ＬＷに達すれば、重量計Ｗ１又はＷ２の検出信号に基づくコントローラＣからの指令で開閉弁Ｖ１又はＶ２が閉止して液体供給を停止する。
【００２４】
しかして、コントローラＣは、液体Ｌ１，Ｌ２のいずれについても、そのタンクＴ１，Ｔ２内の液体重量が規定最大重量ＬＷに達して供給停止後、ロータリーポンプＰ１，Ｐ2
の稼働に伴って低下してゆく液体重量の時間当たりの減少量とポンプ回転数とから、当該ポンプＰ１，Ｐ2 の回転数に対する液体吐出重量を演算し、これを表示部Ｄに簡易質量流量として表示させると共に、この演算された液体吐出重量が設定吐出量に近づくように常時フィードバックして両ポンプＰ１，Ｐ2 の駆動速度を制御するようになされている。
【００２５】
なお、図中では規定最大重量ＬＷ及び設定重量ＭＷと規定最小重量ＳＷを各々の液重量における液面位置として例示しているが、前記第一実施形態における設定レベルＭＬと同様に、設定重量ＭＷは規定最大重量ＬＷと規定最小重量ＳＷ間で任意（通常は中間位）に設定される。また、タンクＴ１，Ｔ２内の液体Ｌ１，Ｌ２の規定最大重量ＬＷは、その液量における水頭圧が逆止弁ＣＶ１，ＣＶ２の背圧以下になるように設定する。
【００２６】
図５に示す第三実施形態の送液システムは、前記第二実施形態と同様に、タンクＴ１，Ｔ２の各々に貯留された２種の液体Ｌ１，Ｌ２を、それぞれロータリーポンプＰ１，Ｐ２を介して導出管路１１ａ，１１ｂより導出して合流させ、送出管路１２に介在するラインミキサーからなる混合機Ｍを通して混合し、質量（重量）基準での所定比率の混合液として送出するものであるが、第二実施形態における重量計Ｗ１，Ｗ２に代えて、両タンクＴ１，Ｔ２の内底部に圧力計ＰＳ１，ＰＳ２が各々設置されている。
【００２７】
すなわち、この送液システムでは、圧力計ＰＳ１，ＰＳ２にて計測されるタンクＴ１，Ｔ２内の液体Ｌ１，Ｌ２の液圧（水頭圧）が設定液圧ＭＰより大きい間は供給管路１０ａ，１０ｂに介在する開閉弁Ｖ１，Ｖ２は閉止しているが、送液によって低下してゆく両液体Ｌ１，Ｌ２の液圧の一方が該設定液圧ＭＰに達すると、圧力計ＰＳ１，ＰＳ２からの検出信号に基づくコントローラＣからの指令で対応する送液系の開閉弁Ｖ１又はＶ２が開放し、供給管路１０ａ又は１０ｂより液体Ｌ１又はＬ２がタンク下部からタンクＴ１又はＴ２内へ、ポンプＰ１又はＰ２による送液量を大きく上回る供給速度で供給される。そして、この供給によって増大するタンクＴ１，Ｔ２内の液圧が規定最高液圧ＨＰに達すれば、圧力計Ｗ１又はＷ２の検出信号に基づくコントローラＣからの指令で開閉弁Ｖ１又はＶ２が閉止して液体供給を停止する。
【００２８】
しかして、コントローラＣは、液体Ｌ１，Ｌ２のいずれについても、そのタンクＴ１，Ｔ２内の液圧が規定最高液圧ＨＰに達して供給停止後、ロータリーポンプＰ１，Ｐ2 の稼働に伴って低下してゆく液圧の時間当たりの減少量とポンプ回転数とから、当該ポンプＰ１，Ｐ2 の回転数に対する液体吐出重量を演算し、これを表示部Ｄに簡易質量流量として表示させると共に、この演算された液体吐出重量が設定吐出量に近づくように常時フィードバックして両ポンプＰ１，Ｐ2 の駆動速度を制御するようになされている。
【００２９】
なお、図中では規定最高液圧ＨＰ及び設定液圧ＭＰと規定最低液圧ＬＰを各々の液重量における液面位置として例示しているが、前記第一及び第二実施形態における設定レベルＭＬ及び設定重量ＭＷと同様に、設定液圧ＭＰは規定最高液圧ＨＰと規定最低液圧ＬＰ間で任意（通常は中間位）に設定される。また、タンクＴ１，Ｔ２内の液体Ｌ１，Ｌ２の規定最高液圧ＬＷは、逆止弁ＣＶ１，ＣＶ２の位置を基準にした水頭圧に換算して、該水頭圧が逆止弁ＣＶ１，ＣＶ２の背圧以下になるように設定する。
【００３０】
前記の第二及び第三実施形態の送液システムでは、タンクＴ１，Ｔ２に貯留した２種の液体Ｌ１，Ｌ２を所定の重量比率の混合液として送出する際、質量流量計を用いることなく、簡易質量流量として実際の流量に極めて近い流量を表示できると共に、該簡易質量流量の演算値に基づいてポンプＰ１，Ｐ２の稼働速度を制御するから、液体Ｌ１，Ｌ２の各々の送液量の設定に高い信頼性が得られ、もって両液体Ｌ１，Ｌ２の混合比率が厳密に維持されて性状及び品質的に安定した混合液を供給できる。また、質量流量計を用いないから、配管が簡素化し、それだけ設備コストが低減されて故障も発生しにくくなり、洗浄においても前記第一実施形態と同様に洗い残しによる衛生面での問題を生じない。
【００３１】
なお、上述した第一〜第三実施形態の送液システムでは、供給管路１０ａ，１０ｂからタンクＴ１，Ｔ２への液体Ｌ１，Ｌ２の供給・停止を開閉弁Ｖ１，Ｖ２で行うようにしているが、これら開閉弁Ｖ１，Ｖ２の代わりにポンプを用いる構成としてよい。また、液体Ｌ１，Ｌ２の粘度が高い場合、固定羽根を有する混合機Ｍに代えて、回転駆動型の攪拌羽根で強制攪拌を行うものを用いればよい。
【００３２】
本発明の送液システムは、第一〜第三実施形態のような２液混合送出系の他、３液以上の混合送出系にも適用できると共に、単に一つのタンク内に貯留した液体をポンブを介して送出する系にも適用可能であるが、混合送出系では概して性状や品質面より混合比率を厳密に定める必要があるために特に適用効果が大きい。
【００３３】
本発明の送液システムにおけるポンプとしては、実施形態で例示したロータリーポンプの他、遠心ポンプやピストンポンブも使用可能である。しかして、コントローラーにて演算する液体吐出量は、ロータリーポンプや遠心ポンプでは回転数を基準にするが、ピストンポンブでは往復度数が基準になる。ただし、ピストンポンブでは機構的にリークは僅少であり、逆に遠心ポンプはリークが非常に大きく元来より送液量調整に不向きであるため、本発明は特にロータリーポンプを使用する送液系に対する適用効果が大きい。
【図面の簡単な説明】
【００３４】
【図１】本発明に係る第一実施形態の送液システムを示すブロック図である。
【図２】同送液システムを採用した２液混合送出装置の正面図である。
【図３】同２液混合送出装置の側面図である。
【図４】本発明に係る第二実施形態の送液システムを示すブロック図である。
【図５】本発明に係る第三実施形態の送液システムを示すブロック図である。
【符号の説明】
【００３５】
Ｃ              コントローラー
ＣＶ１，ＣＶ２  逆止弁
Ｌ１，Ｌ２      液体
Ｍ              混合機
Ｐ１，Ｐ２      ロータリーポンプ
ＰＳ１，ＰＳ２  圧力計
Ｓ１，Ｓ２      液面センサー
Ｔ１，Ｔ２      タンク
Ｗ１，Ｗ２      重量計
【図１】
2006285726.tif 000003
【図２】
2006285726.tif 000004
【図３】
2006285726.tif 000005
【図４】
2006285726.tif 000006
【図５】
2006285726.tif 000007